(57)【特許請求の範囲】
【請求項１】
カメラボディ内に設けられフォーカルプレン式のシャッターユニットが固定されたシャッター基板と、
上記カメラボディと上記シャッター基板の一端部側の間に配置されていて、上記カメラボディに対して上記シャッター基板を上記シャッター基板の他端部側へ押圧する付勢部材と、上記シャッター基板の移動振動を吸収する緩衝部材と、が配置された押圧バネユニットと、
上記シャッターユニットのシャッター羽根の走行方向に沿う方向であって上記押圧バネユニットの配設部位とは反対側の上記シャッター基板の他端部側に対応する上記カメラボディ側の部位に配置され、上記押圧バネユニットによって押圧された上記シャッター基板の移動を吸収するダンパー手段と、
上記カメラボディに対して上記シャッター基板を保持する保持部と、
上記シャッター基板の光軸方向への移動を規制しつつ、当該シャッター基板が上記シャッターユニットのシャッター羽根の走行方向に沿う方向のみに移動を規制する規制部と、
を具備し、
上記シャッター基板は、上記保持部によって、上記シャッター羽根の走行方向に沿う方向と垂直な方向へ移動するのを規制され、上記規制部によって光軸方向の移動を規制され、上記シャッターユニットのシャッター羽根の走行方向に沿う方向にのみ移動可能に上記カメラボディに配設されていることを特徴とするシャッター保持機構。
【請求項２】
上記保持部は、
上記カメラボディに配置されていて、上記シャッター基板が上記シャッター羽根の走行方向に沿う方向と垂直な方向へ移動するのを規制し、当該シャッター基板の上記シャッター羽根の走行方向に沿う方向への移動を許容する回転自在なローラと、
上記シャッター基板に配置されていて、上記シャッター羽根の走行方向に沿う方向に長軸を有して設けられた開口部と、
を含み、
上記開口部の幅寸法は、上記ローラの直径と略同等か若干幅広に形成されていることを特徴とする請求項１記載のシャッター保持機構。
【請求項３】
上記規制部は、
上記シャッター基板または上記カメラボディの一方に配置された凸状部と、
上記シャッター基板または上記カメラボディの他方に配置された開口部と、
を具備し、
上記凸状部と上記開口部とによって、上記シャッター基板は、上記シャッターユニットのシャッター羽根の走行方向に沿う方向にのみ移動可能に配置されていることを特徴とする請求項１記載のシャッター保持機構。
【請求項４】
上記ダンパー手段は、
上記押圧バネユニットによって押圧された上記シャッター基板の他端部を受ける受け部と上記カメラボディに対して位置決めされる位置決め部とを有し、
上記受け部が上記シャッター基板の他端部を受けた際に、上記カメラボディに対して上
記シャッターユニットのシャッター羽根の走行方向に沿う方向に移動する移動部材と、
上記受け部と上記カメラボディとの間に配置された弾性部材と、
を具備していることを特徴とする請求項１記載のシャッター保持機構。
【請求項５】
上記移動部材は、
上記受け部がフランジ状に形成され、上記弾性部材の一端部が上記カメラボディに当接し、上記弾性部材の他端部を当該受け部と反対側で受ける第１の筒部材と、
上記位置決め部がフランジ状に形成され、上記第１の筒部材と係合する第２の筒部材と、
を含むことを特徴とする請求項４記載のシャッター保持機構。
【請求項６】
上記シャッターユニットのシャッター羽根の走行方向は、上記シャッター基板において上記他端部側から上記一端部側へ走行することを特徴とする請求項１記載のシャッター保持機構。
【発明の詳細な説明】
【技術分野】
【０００１】
この発明は、カメラボディの内部においてフォーカルプレーン式のシャッターユニットを保持するためのシャッター保持機構に関するものである。
【背景技術】
【０００２】
従来、撮像光学系により結像された光学像を撮像素子等を用いて撮像する撮像装置（以下、カメラ等という）においては、上記撮像光学系の光路を開閉するシャッター羽根（遮光羽根）と、このシャッター羽根を適宜のタイミングで駆動する駆動機構及び駆動回路等によって構成されるシャッターユニットを、カメラボディ内部に固定保持して構成されているのが普通である。
【０００３】
従来のカメラ等に具備される上記シャッターユニットには、例えば撮像素子の受光面に対して平行に走行するシャッター羽根を当該撮像素子の前面側の近傍に配置して構成されるいわゆるフォーカルプレーン式のものが一般に普及している。
【０００４】
フォーカルプレーン式のシャッターユニットを備えた従来のカメラにおいては、シャッター羽根が駆動されてシャッター羽根の開閉動作が行われたとき、例えばシャッター羽根の走行開始時等においては、その走行反力が、当該シャッター羽根を保持するシャッター枠部材に対して、これ（上記シャッター枠部材）を上記シャッター羽根の走行方向とは反対方向に移動させるように作用する。また、シャッター羽根の走行が所定の位置で停止する時には、シャッター羽根が走行方向において所定の固定部材に当接し、衝撃力が生じる可能性もある。
【０００５】
この場合において、シャッターユニットの駆動時にシャッター羽根の走行方向に生じる力量がカメラボディ側に伝達されると、当該カメラボディを振動させてしまうことになる。さらに、その振動等が当該カメラボディを介して上記撮像素子等を含む撮像ユニットやレンズ鏡筒等へと伝達されると、その結果、取得される画像に像ブレ等の悪影響が生じる可能性があり問題視されていた。
【０００６】
そこで、フォーカルプレーン式のシャッターユニットを適用した従来のカメラ等においては、カメラボディ内部にシャッターユニットを固定保持するのに際し、カメラボディとシャッターユニットとの間に弾性を有する緩衝部材を設ける等の工夫が施されていた。このような構成によって、シャッターユニットは、所定の範囲内で移動することが許容される。そして、シャッターユニットの駆動時に生じるシャッター羽根の走行反力等が、当該シャッターユニット自身に作用して、これ（シャッターユニット）を所定の範囲内で移動させることによって、上記シャッターユニットの駆動時に生じる振動等が吸収されるというものである。
【０００７】
このように、シャッターユニットの駆動時に生じる力量が、カメラボディへと伝達されて生じる振動等を低減し抑止するための工夫を施したシャッター保持機構については、例えば特開平６−６７２５９号公報，特開平９−１８９９３９号公報，特開平９−２４４０９９号公報等によって種々提案され、また実用化されている。
【先行技術文献】
【特許文献】
【０００８】
【特許文献１】特開平６−６７２５９号公報
【特許文献２】特開平９−１８９９３９号公報
【特許文献３】特開平９−２４４０９９号公報
【発明の概要】
【発明が解決しようとする課題】
【０００９】
ところが、上記特開平６−６７２５９号公報，上記特開平９−１８９９３９号公報，上記特開平９−２４４０９９号公報等によって開示されているシャッター保持機構においては、カメラボディとシャッターユニットとの間に弾性を有する緩衝部材を介在させることによって衝撃を吸収することは可能であるが、その一方で、上記シャッターユニットは、カメラボディ内部において常に不安定な状態で保持されているという問題点がある。
【００１０】
本発明は、上述した点に鑑みてなされたものであって、その目的とするところは、カメラボディの内部においてフォーカルプレーン式のシャッターユニットを保持するためのシャッター保持機構において、シャッター羽根が走行する際の走行反力等によって生じる振動等を確実に吸収し低減し抑止することができると同時に、常に安定した状態でシャッターユニットを保持することのできる構造を備えたシャッター保持機構を提供することである。
【課題を解決するための手段】
【００１１】
上記目的を達成するために、本発明の一態様のシャッター保持機構は、カメラボディ内に設けられフォーカルプレン式のシャッターユニットが固定されたシャッター基板と、上記カメラボディと上記シャッター基板の一端部側の間に配置されていて、上記カメラボディに対して上記シャッター基板を上記シャッター基板の他端部側へ押圧する付勢部材と、上記シャッター基板の移動振動を吸収する緩衝部材と、が配置された押圧バネユニットと、上記シャッターユニットのシャッター羽根の走行方向に沿う方向であって上記押圧バネユニットの配設部位とは反対側の上記シャッター基板の他端部側に対応する上記カメラボディ側の部位に配置され、上記押圧バネユニットによって押圧された上記シャッター基板の移動を吸収するダンパー手段と、上記カメラボディに対して上記シャッター基板を保持する保持部と、上記シャッター基板の光軸方向への移動を規制しつつ、当該シャッター基板が上記シャッターユニットのシャッター羽根の走行方向に沿う方向のみに移動に規制する規制部と、を具備し、上記シャッター基板は、上記保持部によって、上記シャッター羽根の走行方向に沿う方向と垂直な方向へ移動するのを規制され、上記規制部によって光軸方向の移動を規制され、上記シャッターユニットのシャッター羽根の走行方向に沿う方向にのみ移動可能に上記カメラボディに配設されている。
【発明の効果】
【００１２】
本発明によれば、カメラボディの内部においてフォーカルプレーン式のシャッターユニットを保持するためのシャッター保持機構において、シャッター羽根が走行する際の走行反力等によって生じる振動等を確実に吸収し低減し抑止することができると同時に、常に安定した状態でシャッターユニットを保持することのできる構造を備えたシャッター保持機構を提供することができる。
【図面の簡単な説明】
【００１３】
【図１】本発明の一実施形態のシャッター保持機構を備えたカメラを分解して一部の構成部材を示す分解斜視図
【図２】本実施形態のシャッター保持機構を示す要部分解斜視図
【図３】本実施形態のシャッター保持機構を適用したカメラにおいて、前カバー部材の内部にシャッター保持機構が取り付けられたようすを示す組み立て図
【図４】図３の符号［４］−［４］線に沿う縦断面図
【図５】図３の符号［５］で示す部位を拡大して一部を断面で示す要部拡大断面図
【図６】図３の符号［６］で示す部位を拡大して一部を断面で示す要部拡大断面図
【発明を実施するための形態】
【００１４】
以下、図示の実施の形態によって本発明を説明する。以下に説明する実施形態は、撮像光学系により結像された光学像を、例えばＣＣＤ（Ｃharge Ｃoupled Ｄevice；電荷結合素子）イメージセンサーやＣＭＯＳ（Ｃomplementary Ｍetal Ｏxide Ｓemiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記憶すると共に、この記憶媒体に記憶されたデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置であって、例えばデジタルカメラやビデオカメラ等（以下、単にカメラという）に対して適用した例を示すものである。
【００１５】
なお、以下の実施形態において、カメラを通常の姿勢状態でテーブル等の台上に載置した場合において、そのカメラに向かって左右水平方向の軸をＸ軸とし、このＸ軸に直交する軸であって同カメラに向かって上下垂直方向の軸をＹ軸とし、上記Ｘ軸と上記Ｙ軸のいずれに対しても直交する軸であって同カメラに向かって前後方向の軸をＺ軸とする。ここで、Ｚ軸は、本カメラの撮像光学系（不図示）の光軸Ｏと一致する方向を含み同光軸Ｏと平行な軸であるものとする。また、上記光軸Ｏは、撮像素子の受光面の略中心を通る軸線であるものとする。
【００１６】
また、本実施形態においては、光軸Ｏに沿う方向（Ｚ軸方向）において、カメラの前面に対向する側（被写体のある側）を前方というものとし、カメラの背面寄りに配置される撮像素子のある側を後方というものとする。
【００１７】
以下の説明に用いる各図面は模式的に示すものであり、各構成要素を図面上で認識可能な程度に示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１８】
図１は、本発明の一実施形態のシャッター保持機構を備えたカメラを分解して示す分解斜視図である。なお、図１においては、本実施形態のカメラにおける主要構成ユニットの一部であって、本発明に関わりのある構成ユニットのみを取り出して示しており、カメラにおける全ての構成ユニットを図示しているわけではない。
【００１９】
図２は、本実施形態のシャッター保持機構を示す要部分解斜視図である。図２においては、図１に示す主要構成ユニットのうちカメラボディの一部（前カバー部材）とシャッターユニット周りの構成部材を取り出して示し、シャッター保持機構を分解して示している。
【００２０】
図３は、本実施形態のシャッター保持機構を適用したカメラにおいて、カメラボディの一部（前カバー部材）の内部に上記シャッター保持機構が取り付けられたようすを示す組み立て図である。図３においては、カメラボディの一部（前カバー部材）の内部に取り付けられるシャッター保持機構の構成を示すために、カメラボディの一部（前カバー部材）の背面側から見たようすを示し、かつ当該シャッター保持機構に取り付けられるシャッターユニットの図示を省略している。
【００２１】
図４は、図３の符号［４］−［４］線に沿う縦断面図である。図５は、本実施形態のシャッター保持機構における押圧手段（押圧バネユニット）を示し、図３の符号［５］で示す部位を拡大して一部を断面で示す要部拡大断面図である。図６は、本実施形態のシャッター保持機構におけるダンパー手段（ダンパーユニット）を示し、図３の符号［６］で示す部位を拡大して一部を断面で示す要部拡大断面図である。なお、図４〜図６は、図面の煩雑化を避けるために、主要部以外の部材構成は省略して図示している。例えば図４においては、前カバー部材１とスライダ２１とビス２１ｘと球状の転動部材（ボール）２３とのそれぞれの位置関係を主に示している。図５においては、スライダ２１と押圧バネユニット１１との位置関係を主に示している。図６においては、スライダ２１とダンパーユニット１３との位置関係を主に示している。
【００２２】
本実施形態のシャッター保持機構は、カメラボディの内部において、当該カメラボディを構成する構成部材に対してフォーカルプレーン式のシャッターユニットを保持するための構成部である。
【００２３】
具体的には、例えば図１に示すように、シャッターユニット２は、カメラボディの一部を構成する前カバー部材１の後方部分に、本実施形態のシャッター保持機構を介して所定の方向（詳細後述；シャッター羽根の走行方向）にのみ移動可能となるように保持されている。また、上記シャッターユニット２の後方には撮像ユニット３が配設されている。
【００２４】
上記前カバー部材１は、カメラボディの一部を構成する構成部材の一部である。この前カバー部材１は、カメラの前面側及び底面側の一部を覆うように形成された外装カバー部材である。前カバー部材１の略中央部分には、略円形状に貫通する開口１０ａが形成されている。前カバー部材１の前面において、上記開口１０ａの周縁部には、撮像光学系を備えたレンズ鏡筒（不図示）を着脱自在に配設するためのマウント部であるマウントリング１０が配設されている。
【００２５】
上記マウントリング１０の内側部分には、カメラと、このカメラに装着されるレンズ鏡筒（不図示）との間を電気的に接続するための電気接点１０ｂ等が設けられている。また、前カバー部材１の前面側において、上記マウントリング１０の周縁部には、レンズ着脱ボタン１０ｃ等の各種操作部材が配設されている。
【００２６】
そして、このマウントリング１０を介してレンズ鏡筒（不図示）を装着することによって、当該レンズ鏡筒の撮像光学系によって光学的に結像された被写体像が、カメラボディ内部において後方に配置された上記撮像ユニット３の撮像素子３０の受光面上に結像するように構成されている。
【００２７】
このように、本実施形態において例示するカメラの形態は、レンズ交換式のカメラである。なお、前カバー部材１とレンズ鏡筒（不図示）とを着脱するための機構については、本発明に直接関連しない部分であるので、従来一般的な構成のレンズ交換式カメラにおけるものと同じ構成のものが適用されているものとして、その詳細説明は省略する。
【００２８】
上記撮像ユニット３は、光電変換素子である撮像素子３０と、この撮像素子３０を駆動させて光電変換処理等を行う駆動回路等のほか、当該撮像素子３０をその受光面に平行な平面内で移動させて像ブレ等を補正するためのいわゆるブレ補正機構やその駆動回路等を有して構成される構成ユニットである。この撮像ユニット３の撮像素子３０は、その受光面が当該カメラの前面側に向けて、即ち上記前カバー部材１の開口１０ａに向けて配置されている。また、撮像素子３０は、その中心が当該カメラに装着されるレンズ鏡筒（不図示）の光軸Ｏと略一致するように配置されている。なお、このように構成される撮像ユニット３自体については、本発明に直接関連しない部分であるので、従来一般的な構成のカメラにおけるものと同じ構成のものが適用されているものとして、その詳細説明は省略する。
【００２９】
シャッターユニット２は、カメラにおける内部空間において、カメラボディの一部を構成する上記前カバー部材１と、上記撮像ユニット３との間の領域に配設されている。そして、当該シャッターユニット２は、上述したように、上記前カバー部材１の後方部分において、本実施形態のシャッター保持機構を介して所定の方向（詳細後述；シャッター羽根の走行方向）にのみ移動可能となるように保持されている。
【００３０】
シャッターユニット２は、上記レンズ鏡筒（不図示）の撮像光学系の光路を開閉するシャッター羽根（遮光羽根；不図示）や、このシャッター羽根（不図示）を適宜のタイミングで駆動する駆動機構及び駆動回路等からなるシャッター駆動部２０等によって構成される構成ユニットである。
【００３１】
本実施形態において例示するシャッターユニット２の形態は、上記撮像素子３０の受光面に対して平行に走行するシャッター羽根（不図示）を上記撮像素子３０の前面側の近傍に配置して構成されるいわゆるフォーカルプレーン式のシャッターユニットである。シャッターユニット２自体の構成は、本発明に直接関連しない部分であるので、従来一般的な構成のカメラにおけるものと同じ構成のものが適用されているものとして、その詳細説明は省略する。
【００３２】
なお、本実施形態のシャッター保持機構を適用するカメラにおいて、シャッターユニット２のシャッター羽根（不図示）の走行方向は、上記Ｙ軸に沿う方向（カメラに向かって上下垂直方向）である。そして、シャッターユニット２が駆動されたとき、シャッター羽根（不図示）は、通常姿勢状態にあるカメラに向かって下方から上方に向けて走行するものとする。
【００３３】
ここで、本実施形態のシャッター保持機構の詳細構成を、図２〜図６を用いて以下に説明する。
【００３４】
本実施形態のシャッター保持機構は、スライダ２１と、押圧手段である押圧バネユニット１１と、スライダ押さえ１２と、ダンパー手段であるダンパーユニット１３等によって主に構成されている。
【００３５】
スライダ２１は、シャッターユニット２が固定されたシャッター基板である。このスライダ２１（シャッター基板）は、後述する構造によって、上記シャッターユニット２のシャッター羽根（不図示）の走行方向に沿う方向（Ｙ軸方向）にのみ移動可能となるように、上記前カバー部材１の内側面に取り付けられている。
【００３６】
スライダ２１は、例えば金属等の硬質な板部材を折り曲げ加工して形成されている。このスライダ２１には、上述したようにシャッターユニット２が固定されている。具体的には、図１，図２に示すように、スライダ２１の背面側のＸ軸方向における一端側にシャッターユニット２のシャッター駆動部２０が固定されている。また、スライダ２１の略中央部分には、貫通する開口２１ａが形成されている。そして、この開口２１ａの近傍には、不図示のシャッター羽根（不図示）が内蔵されている。
【００３７】
なお、上記前カバー部材１に上記スライダ２１を含むシャッター保持機構を介してシャッターユニット２が取り付けられ、さらにその後方に撮像ユニット３が組み付けられた状態とされたとき、上記スライダ２１の開口２１ａは、その中心が、上記前カバー部材１の開口１０ａの中心と、上記撮像素子３０の受光面の中心との両方に同時に略一致する位置に配置されるように設定される。これにより、上記前カバー部材１のマウント部１０を介して装着されたレンズ鏡筒（不図示）の撮像光学系を透過して当該カメラに入射する被写体からの光路が確保される。そして、シャッターユニット２のシャッター羽根（不図示）は、撮像動作に伴って適宜のタイミングで上記開口２１ａを開閉する。
【００３８】
スライダ２１は、図３に示すように、前カバー部材１に取り付けられた状態（図３の状態）において、Ｙ軸方向の両端に複数の折り曲げ部が形成されている。具体的には、スライダ２１の一端部側（本例では上端側）には、Ｚ軸方向に沿って後方に向けて折り曲げられた複数の折り曲げ部２１ｄ，２１ｅが形成されている。ここで、折り曲げ部２１ｄは２つ形成され、この２つの折り曲げ部２１ｄは、他の折り曲げ部２１ｅを挟むように配置されている。そして、これら複数の折り曲げ部２１ｄ，２１ｅ，２１ｄは、スライダ２１の開口２１ａが形成されている領域からＹ軸方向の一端部側（上端側）の側縁部に形成されている。
【００３９】
また、スライダ２１の他端部側（本例では下端側）には、Ｚ軸方向に沿って後方に向けて折り曲げられた複数（本例では２つ）の折り曲げ部２１ｆが形成されている。この２つの折り曲げ部２１ｆは、スライダ２１の開口２１ａが形成されている領域からＹ軸方向の他端部側（下端側）の側縁部に形成されている。
【００４０】
これら複数の折り曲げ部２１ｄ，２１ｅ，２１ｆは、詳細は後述するが、上記押圧バネユニット１１（押圧手段）とダンパーユニット１３（ダンパー手段）とが当接し作用する部位となっている。
【００４１】
また、図３に示すように、スライダ２１は、２本のビス２１ｘと、スライダ押さえ１２とによって、前カバー部材１の内面側に対してＺ軸方向への移動が規制されるように固定保持されている。ここで、スライダ押さえ１２は、２本のビス１２ｘによって、前カバー部材１の内面側に固定されている。上記スライダ押さえ１２には、図２，図３に示すように、Ｘ軸方向に突出する腕部１２ａが形成されている。この腕部１２ａには、前方に向けて突設される球状凸部が形成されている。そして、スライダ２１が前カバー部材１の内側面に取り付けられて、スライダ押さえ１２がビス１２ｘによって前カバー部材１の所定の位置に固定された状態（図３の状態）となったとき、上記スライダ押さえ１２の腕部１２ａの球状凸部は、スライダ２１の背面側の平面のうちの一側縁部（隅部分）に対して点接触で当接して、当該スライダ２１をＺ軸方向に支持している。これと同時に、スライダ２１は２本のビス２１ｘにより、他側縁部近傍に穿設された長穴２１ｂと、他端部側寄りの側縁部近傍に穿設された長穴２１ｂとにおいてＺ軸方向の移動が規制されつつ固定保持されている。ここで、長穴２１ｂは、Ｙ軸方向に長軸を有して形成されている。したがって、このような構成により、スライダ２１は、Ｚ軸方向の移動が規制されながら、Ｙ軸方向の移動は許容されている。
【００４２】
換言すると、本実施形態においては、前カバー部材１（カメラボディ）の内側面から突出するように凸状部となるビス２１ｘが設けられ、これに対応するスライダ２１（シャッター基板）の所定の部位に開口部である長穴２１ｂを設けて構成している。ここで、上記長穴２１ｂは、上述したようにＹ軸方向に長軸を有して形成されている。この構成により、スライダ２１（シャッター基板）は、上記ビス２１ｘ（凸状部）と上記長穴２１ｂ（開口部）とによって、上記シャッターユニットのシャッター羽根（不図示）の走行方向に沿う方向にのみ移動可能とされている。
【００４３】
なお、本実施形態においては、前カバー部材１側に凸状部（ビス２１ｘ）を設け、スライダ２１側に開口部（長穴２１ｂ）を設けた形態を例示しているが、このような例に限られることはない。例えば、前カバー部材１側に開口部（長穴２１ｂ）を設け、スライダ２１側に凸状部（ビス２１ｘ）を設けるような形態としてもよく、これにより得られる作用及び効果は、上記本実施形態の構成の場合と全く同様である。
【００４４】
このように、スライダ２１は、Ｚ軸方向においては、三点で支持されている。この場合において、Ｚ軸方向の支持点は、上記球状凸部の当接部位と、この球状凸部の位置に対して、開口２１ａを挟んで略対向する部位となる他側縁部近傍のビス２１ｘと、これら２つの支持点に対して開口２１ａを挟んで略対向する部位の他端部側（下端側）近傍のビス２１ｘとしている。つまり、スライダ２１は、開口２１ａの周縁部において周方向に略均等配置された３点でＺ軸方向において支持されている。
【００４５】
また、スライダ２１と前カバー部材１との間には、図４に示すように、３つの転動部材（ボール）２３が介在している。この３つの転動部材２３も、開口２１ａの周縁部において周方向に略均等配置されていて、スライダ２１を前面側から三点において支持している。
【００４６】
さらに、スライダ２１においては、略中央部分であって上記開口２１ａから外れた領域に、当該スライダ２１のＸ軸方向の移動を規制する２箇所のＸ軸規制部が設けられている。このＸ軸規制部においては、スライダ２１のＸ軸方向の移動が規制されると同時に、同スライダ２１のＹ軸方向の移動を許容し、かつその移動を円滑に行わしめるために回転自在にローラ２２を介在させたビス２２ｘを用いて、スライダ２１を前カバー部材１に対して固定保持している（２箇所）。
【００４７】
そのために、ローラ２２は、スライダ２１に形成された各開口にそれぞれ収納配置されている。これらの開口は、シャッター羽根（不図示）の走行方向に沿う方向（Ｙ軸方向）に長軸を有して形成されている。また、同開口の幅寸法は、上記ローラ２２の直径と略同等か若干幅広に形成されている。これにより、ローラ２２は、スライダ２１のＸ軸方向への移動を規制しながら、同スライダ２１のＹ軸方向への移動を許容し、かつその移動を円滑に行い得るようにしている。
【００４８】
上記押圧バネユニット１１は、前カバー部材１に対してシャッター基板２１を当該シャッター基板２１の他端部側に向けて押圧する押圧手段である。そのために、上記押圧バネユニット１１は、カメラボディの一部を構成する前カバー部材１の内側面にビス１１ｘを用いて固定されている。ここで、上記押圧バネユニット１１は、スライダ２１（シャッター基板）の一端部側（上端側）の一側縁部に対向する位置に配置されている。
【００４９】
ここで、押圧バネユニット１１の詳細構成を説明する。上記押圧バネユニット１１は、図５に示すように、例えば金属等の硬質な板部材を折り曲げ加工して形成される基台部１１ｂと、例えばコイルばね等からなる複数（本例では２つ設けた）の付勢部材１１ｄと、弾性を有する緩衝部材１１ｅ等によって構成されている。
【００５０】
基台部１１ｂは、当該押圧バネユニット１１を前カバー部材１に取り付けるためのビス穴１１ｃがそれぞれに穿設された２つの腕部１１ａを有して形成されている。基台部１１ｂの両端部にはそれぞれに付勢部材１１ｄが配設されている。この２つの付勢部材１１ｄは、当該押圧バネユニット１１が前カバー部材１に取り付けられた状態（図３の状態）とされたとき、スライダ２１の２つの折り曲げ部２１ｄ，２１ｄのそれぞれに対向する位置に基台部１１ｂ側に固設されている。なお、このとき、２つの付勢部材１１ｄの先端側は、２つの折り曲げ部２１ｄ，２１ｄの対向面にそれぞれ当接した状態となっている。
【００５１】
また、基台部１１ｂの中程の部位には緩衝部材１１ｅが例えば両面テープ等による貼着等によって配設されている。ここで、緩衝部材１１ｅは、当該押圧バネユニット１１が前カバー部材１に取り付けられた状態（図３の状態）とされたとき、スライダ２１の折り曲げ部２１ｅに対して対向する位置に、当該折り曲げ部２１ｅとの間で隙間を持って（間隔を置いて）基台部１１ｂ側に固設されている。ここで、スライダ２１の一端部側（上端側）の外縁部と、上記押圧バネユニット１１の緩衝部材１１ｅとの間の隙間は、スライダ２１のＹ軸方向の移動を許容するために設けられている。
【００５２】
一方、上記ダンパーユニット１３は、上記押圧バネユニット１１（押圧手段）によって押圧されたスライダ２１（シャッター基板）の移動振動を吸収するためのダンパー手段である。そのために、上記ダンパーユニット１３は、カメラボディの一部を構成する前カバー部材１の内側面にビス１３ｘを用いて固定されている。ここで、上記ダンパーユニット１３は、上記押圧バネユニット１１（押圧手段）が配置されている部位に対して、当該シャッターユニット２のシャッター羽根（不図示）の走行方向に沿う方向（Ｙ軸方向）の反対側の所定の部位、即ちスライダ２１（シャッター基板）の他端部側（下端側）の一側縁部に対向する位置に配置されている。なお、本実施形態においては、上記ダンパーユニット１３は複数（２つ）配設した例を示している。
【００５３】
ここで、上記ダンパーユニット１３の詳細構成を説明する。上記ダンパーユニット１３は、図６に示すように、折り曲げ部１３ｂを有する基板１３ａと、弾性部材１３ｄと、シリンダ１３ｃと、蓋ビス１３ｅ等によって構成されている。
【００５４】
基板１３ａは、例えば金属等の硬質な板状部材を折り曲げ加工して形成される主要構成部である。この基板１３ａには、Ｚ軸方向に沿って後方に向けて折り曲げられた折り曲げ部１３ｂが形成されている。この折り曲げ部１３ｂは、当該ダンパーユニット１３が上記前カバー部材１の所定の部位に取り付けられたとき、上記スライダ２１の他端部側（下端側）の折り曲げ部２１ｆに対向する位置に配置される。また、折り曲げ部１３ｂには、後述するシリンダ１３ｃの円筒部が挿通配置される貫通穴が穿設されている。
【００５５】
弾性部材１３ｄは、例えばコイルばね等の弾性を有する部材である。この弾性部材１３ｄは、当該ダンパーユニット１３が組み立てられた状態とされたとき、シリンダ１３ｃの外周面上に巻回された状態で配置され、後述するように、シリンダ１３ｃのフランジ部内側面と折り曲げ部１３ｂの内側面との間に伸縮自在に配設される。
【００５６】
シリンダ１３ｃは、上記押圧バネユニット１１（押圧手段）によって押圧されたスライダ２１（シャッター基板）の他端部側（下端側）の折り曲げ部２１ｆを受ける面である受け部を有するフランジ部と、上記弾性部材１３ｄを巻回配置する円筒部とを有して形成される第１の筒部材である。当該シリンダ１３ｃのフランジ部は、円筒部の一端に形成されている。
【００５７】
そして、当該ダンパーユニット１３が組み立てられた状態とされたとき、シリンダ１３ｃの円筒部の他端が、上記基板１３ａの折り曲げ部１３ｂの上記貫通穴に挿通配置される。この状態において、シリンダ１３ｃの円筒部には弾性部材１３ｄが巻回配置されている。このとき、弾性部材１３ｄの一端は、シリンダ１３ｃのフランジ部の内側面（上記受け部とは反対側（裏面側）の面）に当接している。また、同弾性部材１３ｄの他端は、上記基板１３ａの折り曲げ部１３ｂの内側面に当接している。これにより、上述したように、弾性部材１３ｄは、シリンダ１３ｃのフランジ部（受け部）の内側面と折り曲げ部１３ｂの内側面との間に伸縮自在に配設される。
【００５８】
蓋ビス１３ｅは、上記シリンダ１３ｃ（第１の筒部材）の円筒部の他端に係合する円筒部と、この円筒部の一端に形成されるフランジ部とを有して形成される第２の筒部材である。そして、当該ダンパーユニット１３が組み立てられた状態とされたとき、当該蓋ビス１３ｅの円筒部は、上記基板１３ａの折り曲げ部１３ｂに形成された貫通穴に挿通配置されたシリンダ１３ｃの他端に係合配置される。このとき、蓋ビス１３ｅのフランジ部の内側面は、上記基板１３ａの折り曲げ部１３ｂに当接している。これにより、蓋ビス１３ｅのフランジ部は、カメラボディに対してスライダ２１の位置決めを行う位置決め部として機能している。
【００５９】
このように構成された上記ダンパーユニット１３においては、折り曲げ部１３ｂを有する基板１３ａが、前カバー部材１（カメラボディ）の内側面にビス１３ｘを用いて固定される。基板１３ａには、上記シリンダ１３ｃと蓋ビス１３ｅとが一体に配設されている。そして、このとき、弾性部材１３ｄが、シリンダ１３ｃのフランジ部（受け部）の内側面と折り曲げ部１３ｂの内側面との間に伸縮自在に配設される。換言すると、弾性部材１３ｄは、シリンダ１３ｃのフランジ部（受け部）と、カメラボディ（に固定された基板１３ａの折り曲げ部１３ｂ）との間に配置されている。
【００６０】
この構成により、シリンダ１３ｃのフランジ部（受け部）が、スライダ２１（シャッター基板）の他端部側（の折り曲げ部２１ｆ）を受けた際には、前カバー部材１（カメラボディ）に対してシリンダ１３ｃ及び蓋ビス１３ｅは、Ｙ軸方向（上記シャッターユニットのシャッター羽根の走行方向）に沿う方向に移動する。ここで、上記シリンダ１３ｃ及び蓋ビス１３ｅは、上述したように係合することによって一体に構成されて移動する移動部材である。
【００６１】
本実施形態のシャッター保持機構が通常状態にあるときには、上述したように、シリンダ１３ｃのフランジ部（の受け部）には、スライダ２１の折り曲げ部２１ｆ（シャッター基板）が当接している状態にある。つまり、このとき、スライダ２１は自重によってシリンダ１３ｃのフランジ部（の受け部）に載置された状態となっている。
【００６２】
この状態において、シャッターユニットが駆動されてシャッター羽根（不図示）がＹ軸方向において、スライダ２１の他端部側（下端側）から一端部側（上端側）へ向けて走行すると、その走行反力等を受けて、シャッターユニットを載置したスライダ２１は、上記シャッター羽根の走行方向とは反対方向に移動する。すると、これを受けて、上記移動部材（シリンダ１３ｃ及び蓋ビス１３ｅの一体構成物）も同方向(シャッター羽根の走行方向とは反対方向)に移動する。したがって、このとき、弾性部材１３ｄは、Ｙ軸方向においてシャッターユニットのシャッター羽根（不図示）の走行方向とは反対方向に収縮する。これによって、弾性部材１３ｄは、スライダ２１の移動振動を吸収する。
【００６３】
一方、このとき受ける外力等によっては、上記スライダ２１は、上記シャッター羽根の走行方向と同方向に移動することがある。この場合には、上記移動部材（シリンダ１３ｃ及び蓋ビス１３ｅの一体構成物）は同方向に移動する。すると、スライダ２１の折り曲げ部２１ｅが、緩衝部材１１ｅに当接する。このとき、弾性部材１３ｄは、Ｙ軸方向においてシャッターユニットのシャッター羽根（不図示）の走行方向に伸長する。これによって、弾性部材１３ｄ及び緩衝部材１１ｅは、スライダ２１の移動振動を吸収する。
【００６４】
このように、上記ダンパーユニット１３（ダンパー手段）は、移動部材（１３ｃ，１３ｅ）が、シャッタ羽根の走行方向に沿うＹ軸方向に移動して弾性部材１３ｄを伸縮させることによって、スライダ２１（シャッター基板）の前カバー部材１（カメラボディ）に対する移動振動を吸収する。
【００６５】
以上説明したように上記一実施形態によれば、フォーカルプレン式のシャッターユニットを固設するスライダ２１（シャッター基板）を、前カバー部材１（カメラボディ）に対してシャッタ羽根の走行方向（Ｙ軸方向）に沿う方向にのみ移動可能に保持し、スライダ２１のＹ軸方向における一端部及び他端部に押圧バネユニット１１とダンパーユニット１３とを設けることによって、スライダ２１の移動振動を吸収するように構成した。
【００６６】
したがって、このような構成によって、シャッターユニットを固設するスライダ２１（シャッター基板）は、押圧バネユニット１１とダンパーユニット１３とによって、シャッタ羽根の走行方向（Ｙ軸方向）において移動可能としながら、通常状態においては、常に安定した状態で保持されるような構造とすることができる。
【００６７】
また、シャッターユニット駆動時のシャッター羽根の走行反力等によって、シャッターユニットと共にスライダ２１を移動させ、その移動振動を押圧バネユニット１１及びダンパーユニット１３が吸収することによって、カメラボディ側に伝わる振動等を低減させ、抑止することができる。したがって、シャッターユニット駆動に伴って生じるカメラボディ，撮像ユニット等の振動等を低減させることでき、よって像ブレ等の発生を抑止することができるので、良好な撮像結果を常に得ることができる。
【００６８】
さらに、スライダ２１は、Ｘ軸方向の移動はローラ２２によって規制され、Ｚ軸方向の移動は２箇所のビス２１ｘ（凸状部）及び長穴２１ｂ（開口部）によって規制されながら、Ｙ軸方向の移動のみが許容されるように、前カバー部材１に対して保持される構造としている。
【００６９】
したがって、このような構成によって、シャッターユニットを固設したスライダ２１を、所望する規程の一方向、即ちシャッター羽根の走行方向であるＹ軸方向にのみ移動させることができ、よってカメラボディ内部におけるシャッターユニットの位置の安定性を確保することができる。
【００７０】
なお、本実施形態においては、シャッター保持機構を適用するカメラの形態として、レンズ交換式のカメラボディを例に挙げて説明しているが、この形態に限られることはなく、例えばレンズ鏡筒がカメラボディ前面に固定された形態のカメラであっても全く同様に本発明のシャッター保持機構を適用することは可能である。
【００７１】
また、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【００７２】
１……前カバー部材，
２……シャッターユニット，
３……撮像ユニット，
１０……マウントリング，１０ａ……開口，１０ｂ……電気接点，１０ｃ……レンズ着脱ボタン，
１１……押圧バネユニット，１１ａ……腕部，１１ｂ……基台部，１１ｃ……ビス穴，１１ｄ……付勢部材，１１ｅ……緩衝部材，１１ｘ……ビス，
１２……スライダ押さえ，１２ａ……腕部，１２ｘ……ビス，
１３……ダンパーユニット，１３ａ……基板，１３ｂ……折り曲げ部，１３ｃ……シリンダ，１３ｄ……弾性部材，１３ｅ……蓋ビス，１３ｘ……ビス，
２０……シャッター駆動部，
２１……スライダ，２１ａ……開口，２１ｂ……長穴，２１ｄ，２１ｅ，２１ｆ……折り曲げ部，２１ｘ……ビス，
２２……ローラ，２２ｘ……ビス，
２３……転動部材，
３０……撮像素子，
Ｏ……光軸，
【要約】
【課題】シャッター羽根の走行反力によって生じる振動等を低減し得ると共に安定した状態でシャッターユニットを保持し得るシャッター保持機構を提供する。
【解決手段】カメラボディ１内に設けられフォーカルプレン式のシャッターユニット２が固定されたシャッター基板２１と、カメラボディとシャッター基板の一端部側の間に配置されていてカメラボディに対してシャッター基板をシャッター基板の他端部側へ押圧する押圧手段１１と、シャッターユニットのシャッター羽根の走行方向に沿う方向であって押圧手段の配設部位とは反対側のシャッター基板の他端部側に対応するカメラボディ側の部位に配置され押圧手段によって押圧されたシャッター基板の移動を吸収するダンパー手段１３とを具備し、シャッター基板はシャッターユニットのシャッター羽根の走行方向に沿う方向にのみ移動可能にカメラボディに配設されている。
【選択図】図３【図１】
0005885809.tif 000002
【図２】
0005885809.tif 000003
【図３】
0005885809.tif 000004
【図４】
0005885809.tif 000005
【図５】
0005885809.tif 000006
【図６】
0005885809.tif 000007